(57)【要約】      （修正有）【課題】光ファイバー，光増幅器，光スイッチ等からなる光パスを介して端末間のデータ伝送を行う光データ伝送ネットワークにおいて、端末の送信処理手段や受信処理手段が動的に変更されても正確なデータを伝送できるようにする。【解決手段】端末のデータをネットワーク伝送用通信データに変換する送信処理手段と、その通信データを電気信号から光信号に変換する手段と、通信データを伝送する光パスと、光パスを介した通信データを光信号から電気信号に変換する手段と、変換された通信データを受信して端末に転送する受信処理手段とを備える光データ伝送ネットワークであって、送信処理手段は、通信データの送信速度制御手段を備え、受信処理手段は、受信速度制御手段を備え、送信速度制御手段と受信速度制御手段の間で、送信速度及び受信速度を変更するための速度制御データの送受信を行い、通信データの伝送速度を決定する光データ伝送ネットワークである。【選択図】        図４
2004349848.tif 000002
【特許請求の範囲】
【請求項１】
端末のデータをネットワーク伝送用の通信データに変換する送信処理手段と、前記送信処理手段で変換した通信データを電気信号から光信号に変換する電気／光変換手段（以下、Ｅ／Ｏ変換手段と称する）と、前記光信号に変換した通信データを伝送する光パスと、前記光パスを伝送した通信データを光信号から電気信号に変換する光／電気変換手段（以下、Ｏ／Ｅ変換手段と称する）と、前記Ｏ／Ｅ変換手段で電気信号に変換された通信データを受信して端末に転送する受信処理手段とを備える光データ伝送ネットワークであって、
前記送信処理手段は、前記Ｅ／Ｏ変換手段で光信号に変換した通信データの送信速度を制御する送信速度制御手段を備え、
前記受信処理手段は、前記Ｏ／Ｅ変換手段で受信する通信データの受信速度を制御する受信速度制御手段を備え、
前記送信速度制御手段と前記受信速度制御手段の間で、前記送信速度及び前記受信速度を変更するための速度制御データの送受信を行い、前記通信データの伝送速度を決定することを特徴とする光データ伝送ネットワーク。
【請求項２】
前記送信処理手段は、前記光パスの内部の伝送経路情報を持つ光パス管理手段から、前記送信処理手段から前記通信データの受信先の受信処理手段までの光パスの伝送経路情報を取得する手段と、前記取得した伝送経路情報に基づいて、前記送信速度として適切な速度を推定する速度推定手段とを備え、
前記受信処理手段は、前記光パス管理手段から、前記通信データの送信元の送信処理手段と前記受信処理手段の間の光パスの伝送経路情報を取得する手段と、前記取得した伝送経路情報に基づいて、前記受信速度として適切な速度を推定する速度推定手段とを備えることを特徴とする請求項１に記載の光データ伝送ネットワーク。
【請求項３】
端末のデータをネットワーク伝送用の通信データに変換するとともに、前記通信データを受信する送受信処理手段と、前記送受信処理手段で変換された通信データを電気信号から光信号に変換するとともに、前記送受信処理手段で受信する前記通信データを光信号から電気信号に変換する電気／光−光／電気変換手段（以下、Ｅ／Ｏ−Ｏ／Ｅ変換手段と称する）と、前記光信号に変換された通信データを伝送する光パスとを備える光データ伝送ネットワークであって、
前記送受信処理手段は、前記Ｅ／Ｏ−Ｏ／Ｅ変換手段で光信号に変換して送信する通信データの送信速度、及び前記Ｅ／Ｏ−Ｏ／Ｅ変換手段で受信して電気信号に変換した通信データの受信速度を制御する送受信速度制御手段を備え、
前記通信データの送信元の送受信処理手段と前記通信データの受信先の送受信処理手段が異なる場合に、前記送信元の送受信処理手段が備える送受信速度制御手段と、前記受信先の送受信処理手段が備える送受信速度制御手段の間で、前記通信データの送信速度及び前記受信速度を変更するための速度制御データの送受信を行い、前記通信データの伝送速度を制御することを特徴とする光データ伝送ネットワーク。
【請求項４】
前記送受信処理手段は、前記光パスの内部の伝送経路情報を持つ光パス管理手段から、前記通信データの送信元の送受信処理手段から前記通信データの受信先の送受信処理手段までの光パスの伝送経路情報を取得する手段と、前記取得した伝送経路情報に基づいて、前記通信データの送信速度及び前記受信速度として適切な速度を推定する速度推定手段とを備えることを特徴とする請求項３に記載の光データ伝送ネットワーク。
【請求項５】
端末のデータをネットワーク伝送用の通信データに変換する送信処理手段と、前記送信処理手段で変換した通信データを電気信号から光信号に変換するＥ／Ｏ変換手段と、前記光信号に変換した通信データを伝送する光パスと、前記光パスを伝送した通信データを光信号から電気信号に変換するＯ／Ｅ変換手段と、前記Ｏ／Ｅ変換手段で電気信号に変換した通信データを受信して端末に転送する受信処理手段とを備える光データ伝送ネットワーク上で、前記送信処理手段から前記受信処理手段に伝送する通信データの伝送速度を制御する伝送速度制御方法であって、
前記伝送速度を設定する第１のステップと、
前記第１のステップで設定した伝送速度で、前記送信処理手段から前記受信処理手段に確認用データを送信する第２のステップと、
前記受信処理手段において、前記第１のステップで設定された伝送速度で、前記確認用データの受信を試みる第３のステップと、
前記第３のステップにおいて、前記確認用データの受信に成功した場合に、前記第１のステップで設定した伝送速度を増加させ、前記第１のステップから前記第３のステップを繰り返す第４のステップと、
前記第３のステップにおいて、前記確認用データの受信に失敗した場合に、設定された伝送速度より低く、かつ、前記確認用データの受信に成功した伝送速度のうち、最大の速度を前記送信処理手段から前記受信処理手段に前記通信データを伝送するときの伝送速度とする第５のステップとを有することを特徴とする伝送速度制御方法。
【請求項６】
前記伝送速度を設定する第１のステップは、
伝送経路情報をもつ光パス管理手段から、前記送信処理手段から前記受信処理手段までの光パスの伝送経路情報を取得するステップと、
前記取得した伝送経路情報に基づいて、伝送速度を推定するステップとを有することを特徴とする請求項５に記載の伝送速度制御方法。
【請求項７】
前記第１のステップから前記第５のステップまでの各ステップを、定期的に行うことを特徴とする請求項５または請求項６に記載の伝送速度制御方法。
【請求項８】
端末のデータをネットワーク伝送用の通信データに変換するとともに、前記通信データを受信する送受信処理手段と、前記送受信処理手段で変換された通信データを電気信号から光信号に変換するとともに、前記送受信処理手段で受信する前記通信データを光信号から電気信号に変換するＥ／Ｏ−Ｏ／Ｅ変換手段と、前記光信号に変換された通信データを伝送する光パスとを備える光データ伝送ネットワーク上で、第１送受信処理手段と、他の第２送受信処理手段の間で伝送する通信データの伝送速度を制御する伝送速度制御方法であって、
前記伝送速度を設定する第１のステップと、
前記第１のステップで設定した伝送速度で、前記第１送受信処理手段から前記第２送受信処理手段に確認用データを送信する第２のステップと、
前記第２送受信処理手段において、前記第１のステップで設定された伝送速度で、前記確認用データの受信を試みる第３のステップと、
前記第３のステップにおいて、前記確認用データの受信に成功した場合、前記第１のステップで設定された伝送速度で、前記第２送受信処理手段から前記第１送受信処理手段に確認用データを送信する第４のステップと、
前記第１送受信処理手段において、前記第１のステップで設定された伝送速度で、前記確認用データの受信を試みる第５のステップと、
前記第５のステップにおいて、前記確認用データの受信に成功した場合に、前記第１のステップで設定した伝送速度を増加させ、前記第１のステップから前記第５のステップを繰り返す第６のステップと、
前記第３のステップまたは前記第５のステップにおいて、前記確認用データの受信に失敗した場合に、設定された伝送速度より低く、かつ、前記確認用データの受信に成功した伝送速度のうち、最大の速度を前記第１送受信処理手段と前記第２送受信処理手段の間で前記通信データを伝送するときの伝送速度とする第７のステップとを有することを特徴とする伝送速度制御方法。
【請求項９】
前記伝送速度を設定する第１のステップは、
伝送経路情報をもつ光パス管理手段から、前記送信処理手段から前記受信処理手段までの光パスの伝送経路情報を取得するステップと、
前記取得した伝送経路情報に基づいて、伝送速度を推定するステップとを有することを特徴とする請求項８に記載の伝送速度制御方法。
【請求項１０】
前記第１のステップから前記第７のステップまでの各ステップを、定期的に行うことを特徴とする請求項８または請求項９に記載の伝送速度制御方法。
【発明の詳細な説明】
【０００１】
【発明の属する技術分野】
本発明は、光データ伝送ネットワーク及び光データ伝送ネットワークの伝送速度制御方法に関し、特に、光パスに接続された送信処理部や受信処理部の対地が動的に変更されるネットワークに適用して有効な技術に関するものである。
【０００２】
【従来の技術】
従来、複数の端末間でデータを伝送（送受信）するデータ伝送ネットワークには、伝送経路に光ファイバ，光増幅器，光スイッチ等を用いた光パスを利用した光データ伝送ネットワークがある。
【０００３】
前記光データ伝送ネットワークは、例えば、図１２に示すように、端末１Ａのデータをネットワーク伝送用の通信データに変換する送信処理手段２と、前記送信処理手段２で変換した通信データを電気信号から光信号に変換するＥ／Ｏ変換手段３と、前記光信号に変換した通信データを伝送する光ファイバー４０１，光増幅器４０２，光スイッチ４０３等からなる光パス４と、前記光パス４を伝送した通信データを光信号から電気信号に変換するＯ／Ｅ変換手段５と、前記Ｏ／Ｅ変換手段５で電気信号に変換した通信データを端末１Ｂに転送する受信処理手段６とにより構成されている。
【０００４】
このとき、前記送信処理手段２は、図１３に示すように、前記端末１Ａのデータを通信データに変換するデータ変換手段２０１と、前記データ変換手段２０１で変換した通信データを前記Ｅ／Ｏ変換手段３に転送する通信データ転送手段２０２と、前記通信データの転送速度を設定する送信速度設定手段２０５とにより構成されている。また、前記Ｅ／Ｏ変換手段３は、図１３に示したように、転送された通信データを蓄積する通信データ蓄積手段３０１と、前記通信データ蓄積手段３０１に蓄積された通信データを１ビットずつ光信号に変換するＬＤ（レーザーダイオード）３０２と、前記ＬＤ３０２で光信号に変換する周期を与えるＣＬＫ３０３とにより構成されている。このとき、前記ＣＬＫ３０３が与える周期は、前記送信速度設定手段２０３で設定されている。
【０００５】
また、前記Ｏ／Ｅ変換手段５は、図１４に示すように、前記光パス４を伝送した通信データ（光信号）を受信（受光）して電気信号に変換するＰＤ（フォトダイオード）５０１と、前記電気信号に変換した通信データを再生するビット同期回路５０２と、前記ビット同期回路５０２で再生された通信データの正常性をチェックする再生通信データチェック手段５０３と、前記ビット同期回路５０２でデータを再生するときの周期を与えるＣＬＫ５０４とにより構成されている。また、前記受信処理手段６は、図１４に示したように、前記再生通信データチェック手段５０３でチェックした結果、正常であった通信データを受信する通信データ受信手段６０１と、前記受信した通信データを端末で扱えるデータに変換するデータ変換手段６０２と、前記通信データ受信手段６０２で受信する通信データの受信速度を設定する受信速度設定手段６０５とにより構成されている。またこのとき、前記ＣＬＫ５０４が与える周期は、前記受信速度設定手段６０５により設定されている。
【０００６】
また、従来の前記光データ伝送ネットワークでは、前記各端末１Ａ，１Ｂが利用（接続）する前記送信処理手段２及び前記受信処理手段３や、通信データの伝送速度が、あらかじめ定められている。そのため、前記ＬＤ３０２の光信号送信パワーや前記ＰＤ５０１の光信号受信感度、前記光パス４（光ファイバー４０１）での光信号の劣化の度合いをあらかじめ規定して、正確なデータ伝送をできるようにしている。
【０００７】
【発明が解決しようとする課題】
しかしながら、前記従来の技術では、前記通信データの伝送速度があらかじめ定められている。そのため、例えば、前記端末１Ｂが利用（接続）する受信処理手段６を変更したときに、変更後の受信処理手段６の受信可能な速度が、変更前の受信処理手段６の受信可能な速度と異なる場合がある。また、前記端末１Ｂが接続する前記受信処理手段６を変更した場合、例えば、図１２に示した、第１の対地Ｚ１の受信処理手段６から、前記第１の対地Ｚ１とは地理的に隔たりがある第２の対地Ｚ２の受信処理手段６に変更した場合、前記送信処理手段２と前記受信処理手段６の間の光パスの経路、言い換えると通信データが通る前記光ファイバー４０１の長さや、光増幅器４０２及び光スイッチ４０３の数が大きく変わることもある。
【０００８】
このように、前記端末１Ｂが利用する受信処理手段６が変わり、受信可能な速度や光パス４の経路が大きく変わるような場合、前記受信処理手段６側で受信可能な速度に合わせて、前記送信処理手段２側の送信速度を制御しなければ、正確なデータ伝送を行うことが難しい。そのため、従来のように、あらかじめ伝送速度（送信速度）を一つに決めることが難しいという問題があった。
【０００９】
また、従来の光データ伝送ネットワークでは、例えば、前記端末１Ｂが利用する受信処理手段６が動的に変更され、かつ、変更に伴い光パス４の経路が大きく変化するような場合は、あらかじめ伝送速度を一つに決めることが難しいので、データ転送の安定性（正確性）が低くなりやすいという問題があった。
【００１０】
本発明の目的は、光ファイバー，光増幅器，光スイッチ等からなる光パスを介して端末間のデータ伝送を行う光データ伝送ネットワークにおいて、前記端末が利用する送信処理手段や受信処理手段が動的に変更されても正確なデータ伝送をすることが可能な技術を提供することにある。
【００１１】
本発明の他の目的は、光ファイバー，光増幅器，光スイッチ等からなる光パスを介して端末間のデータ伝送を行う光データ伝送ネットワークにおいて、通信データの伝送速度を容易に制御することが可能な技術を提供することにある。
【００１２】
本発明の前記ならびにその他の目的と新規な特徴は、本明細書の記述及び添付図面によって明らかになるであろう。
【００１３】
【課題を解決するための手段】
本願において開示される発明の概要を説明すれば、以下の通りである。
（１）  端末のデータをネットワーク伝送用の通信データに変換する送信処理手段と、前記送信処理手段で変換した通信データを電気信号から光信号に変換するＥ／Ｏ変換手段と、前記光信号に変換した通信データを伝送する光パスと、前記光パスを伝送した通信データを光信号から電気信号に変換するＯ／Ｅ変換手段と、前記Ｏ／Ｅ変換手段で電気信号に変換された通信データを受信して端末に転送する受信処理手段とを備える光データ伝送ネットワークであって、前記送信処理手段は、前記Ｅ／Ｏ変換手段で光信号に変換した通信データの送信速度を制御する送信速度制御手段を備え、前記受信処理手段は、前記Ｏ／Ｅ変換手段で受信する通信データの受信速度を制御する受信速度制御手段を備え、前記送信速度制御手段と前記受信速度制御手段の間で、前記送信速度及び前記受信速度を変更するための速度制御データの送受信を行い、前記通信データの伝送速度を決定する光データ伝送ネットワークである。
【００１４】
（２）  前記（１）の手段において、前記送信処理手段は、前記光パスの内部の伝送経路情報を持つ光パス管理手段から、前記送信処理手段から前記通信データの受信先の受信処理手段までの光パスの伝送経路情報を取得する手段と、前記取得した伝送経路情報に基づいて、前記送信速度として適切な速度を推定する速度推定手段とを備え、前記受信処理手段は、前記光パス管理手段から、前記通信データの送信元の送信処理手段と前記受信処理手段の間の光パスの伝送経路情報を取得する手段と、前記取得した伝送経路情報に基づいて、前記受信速度として適切な速度を推定する速度推定手段とを備える。
【００１５】
前記（１）の手段によれば、前記送信速度制御手段と前記受信速度制御手段の間で速度制御データの送受信を行うことで、前記通信データの伝送速度を容易に変更することができる。そのため、例えば、前記端末が利用する前記受信処理手段が動的に変更される場合でも、変更後の前記送信処理手段と前記受信処理手段の間での伝送速度を伝送経路に適した速度に容易に変更することができ、データ伝送の安定性（正確性）が向上する。
【００１６】
またこのとき、前記（２）の手段のように、前記光パス管理手段から伝送経路の情報を取得する手段と、前記速度推定手段とを設けることにより、最適な伝送速度を求めるまでの時間を短縮することができる。そのため、例えば、前記端末が利用する前記受信処理手段が変更され、かつ、変更後に光パスの経路が大きく変化する場合でも、データ転送の安定性が低下する時間を短くすることができる。
【００１７】
（３）  端末のデータをネットワーク伝送用の通信データに変換するとともに、前記通信データを受信する送受信処理手段と、前記送受信処理手段で変換された通信データを電気信号から光信号に変換するとともに、前記送受信処理手段で受信する前記通信データを光信号から電気信号に変換するＥ／Ｏ−Ｏ／Ｅ変換手段と、前記光信号に変換された通信データを伝送する光パスとを備える光データ伝送ネットワークであって、前記送受信処理手段は、前記Ｅ／Ｏ−Ｏ／Ｅ変換手段で光信号に変換して送信する通信データの送信速度、及び前記Ｅ／Ｏ−Ｏ／Ｅ変換手段で受信して電気信号に変換した通信データの受信速度を制御する送受信速度制御手段を備え、前記通信データの送信元の送受信処理手段と前記通信データの受信先の送受信処理手段が異なる場合に、前記送信元の送受信処理手段が備える送受信速度制御手段と、前記受信先の送受信処理手段が備える送受信速度制御手段の間で、前記通信データの送信速度及び前記受信速度を変更するための速度制御データの送受信を行い、前記通信データの伝送速度を制御する光データ伝送ネットワークである。
【００１８】
（４）  前記（３）の手段において、前記送受信処理手段は、前記光パスの内部の伝送経路情報を持つ光パス管理手段から、前記通信データの送信元の送受信処理手段から前記通信データの受信先の送受信処理手段までの光パスの伝送経路情報を取得する手段と、前記取得した伝送経路情報に基づいて、前記通信データの送信速度及び前記受信速度として適切な速度を推定する手段とを備える。
【００１９】
前記（３）及び（４）の手段はそれぞれ、前記（１）及び（２）の手段における前記送信処理手段及び前記受信処理手段の代わりに、双方向の通信が可能な送受信処理手段を設け、前記Ｅ／Ｏ変換手段及び前記Ｏ／Ｅ変換手段の代わりに、Ｅ／Ｏ−Ｏ／Ｅ変換手段を設けた伝送ネットワークである。そのため、前記（１）及び（２）と同様に、前記端末が利用する前記送受信処理手段が動的に変更された場合でも、変更後の光パスの経路に最適な伝送速度に容易に変更することができる。また、前記（４）の手段を適用することで、伝送速度の変更に要する時間を短縮でき、変更が完了するまでのデータ伝送の安定性が低下する時間を短くすることができる。
【００２０】
（５）  端末のデータをネットワーク伝送用の通信データに変換する送信処理手段と、前記送信処理手段で変換した通信データを電気信号から光信号に変換するＥ／Ｏ変換手段と、前記光信号に変換した通信データを伝送する光パスと、前記光パスを伝送した通信データを光信号から電気信号に変換するＯ／Ｅ変換手段と、前記Ｏ／Ｅ変換手段で電気信号に変換した通信データを受信して端末に転送する受信処理手段とを備える光データ伝送ネットワーク上で、前記送信処理手段から前記受信処理手段に伝送する通信データの伝送速度を制御する伝送速度制御方法であって、前記伝送速度を設定する第１のステップと、前記第１のステップで設定した伝送速度で、前記送信処理手段から前記受信処理手段に確認用データを送信する第２のステップと、前記受信処理手段において、前記第１のステップで設定された伝送速度で、前記確認用データの受信を試みる第３のステップと、前記第３のステップにおいて、前記確認用データの受信に成功した場合に、前記第１のステップで設定した伝送速度を増加させ、前記第１のステップから前記第３のステップを繰り返す第４のステップと、前記第３のステップにおいて、前記確認用データの受信に失敗した場合に、設定された伝送速度より低く、かつ、前記確認用データの受信に成功した伝送速度のうち、最大の速度を前記送信処理手段から前記受信処理手段に前記通信データを伝送するときの伝送速度とする第５のステップとを有する伝送速度制御方法である。
【００２１】
（６）  前記（５）の手段において、前記伝送速度を設定する第１のステップは、伝送経路情報をもつ光パス管理手段から、前記送信処理手段から前記受信処理手段までの光パスの伝送経路情報を取得するステップと、前記取得した伝送経路情報に基づいて、伝送速度を推定するステップとを有する。
【００２２】
（７）  前記（５）または（６）の手段において、前記第１のステップから前記第５のステップまでの各ステップを、定期的に行う。
【００２３】
前記（５）の手段は、前記（１）の手段である光データ伝送ネットワークの伝送速度を制御する方法であり、前記第１のステップから前記第５のステップまでを行うことにより、前記送信処理手段から前記受信処理手段までの光パスの経路に適した伝送速度に制御する作業を容易にすることができる。そのため、例えば、前記端末が利用する前記受信処理手段が動的に変更され、かつ、変更後に光パスの経路が大きく変わる場合でも、データ伝送の安定性（正確性）の低下を防げる。
【００２４】
このとき、前記（６）の手段のように、前記光パス管理手段から光パスの伝送経路に合わせた伝送経路情報を取得して、最適な伝送速度を推測することにより、最適な伝送速度を求めるまでの時間を短縮することができる。
【００２５】
またこのとき、前記（７）の手段のように、前記（５）または（６）の手段の各ステップを定期的に行うことにより、例えば、前記端末が利用する前記受信処理手段が動的に変更される場合でも、変更によりデータ伝送の安定性が低下する時間を短くできる。
【００２６】
（８）  端末のデータをネットワーク伝送用の通信データに変換するとともに、前記通信データを受信する送受信処理手段と、前記送受信処理手段で変換された通信データを電気信号から光信号に変換するとともに、前記送受信処理手段で受信する前記通信データを光信号から電気信号に変換するＥ／Ｏ−Ｏ／Ｅ変換手段と、前記光信号に変換された通信データを伝送する光パスとを備える光データ伝送ネットワーク上で、第１送受信処理手段と、他の第２送受信処理手段の間で伝送する通信データの伝送速度を制御する伝送速度制御方法であって、前記伝送速度を設定する第１のステップと、前記第１のステップで設定した伝送速度で、前記第１送受信処理手段から前記第２送受信処理手段に確認用データを送信する第２のステップと、前記第２送受信処理手段において、前記第１のステップで設定された伝送速度で、前記確認用データの受信を試みる第３のステップと、前記第３のステップにおいて、前記確認用データの受信に成功した場合、前記第１のステップで設定された伝送速度で、前記第２送受信処理手段から前記第１送受信処理手段に確認用データを送信する第４のステップと、前記第１送受信処理手段において、前記第１のステップで設定された伝送速度で、前記確認用データの受信を試みる第５のステップと、前記第５のステップにおいて、前記確認用データの受信に成功した場合に、前記第１のステップで設定した伝送速度を増加させ、前記第１のステップから前記第５のステップを繰り返す第６のステップと、前記第３のステップまたは前記第５のステップにおいて、前記確認用データの受信に失敗した場合に、設定された伝送速度より低く、かつ、前記確認用データの受信に成功した伝送速度のうち、最大の速度を前記第１送受信処理手段と前記第２送受信処理手段の間で前記通信データを伝送するときの伝送速度とする第７のステップとを有する伝送速度制御方法である。
【００２７】
（９）  前記（８）の手段において、前記伝送速度を設定する第１のステップは、伝送経路情報をもつ光パス管理手段から、前記送信処理手段から前記受信処理手段までの光パスの伝送経路情報を取得するステップと、前記取得した伝送経路情報に基づいて、伝送速度を推定するステップとを有する。
【００２８】
（１０）  前記（８）または（９）の手段において、前記第１のステップから前記第７のステップまでの各ステップを、定期的に行う。
【００２９】
前記（８）の手段は、前記（３）の手段である光データ伝送ネットワークの伝送速度を制御する方法であり、前記第１のステップから前記第７のステップまでを行うことにより、前記通信データを送信する送受信処理手段から前記通信データを受信する送受信処理手段までの光パスの経路に適した伝送速度に制御する作業を容易にすることができる。そのため、例えば、前記端末が利用する前記送受信処理手段が動的に変更され、かつ、変更後に光パスの経路が大きく変わる場合でも、データ伝送の安定性（正確性）の低下を防げる。
【００３０】
このとき、前記（９）の手段のように、前記光パス管理手段から光パスの伝送経路に合わせた伝送経路情報を取得して、最適な伝送速度を推測することにより、最適な伝送速度を求めるまでの時間を短縮することができる。
【００３１】
またこのとき、前記（１０）の手段のように、前記（８）または（９）の手段の各ステップを定期的に行うことにより、例えば、前記端末が利用する前記送受信処理手段が動的に変更される場合でも、変更によりデータ伝送の安定性が低下する時間を短くできる。
【００３２】
以下、本発明について、図面を参照して実施の形態（実施例）とともに詳細に説明する。
なお、実施例を説明するための全図において、同一機能を有するものは、同一符号を付け、その繰り返しの説明は省略する。
【００３３】
【発明の実施の形態】
（実施例１）
図１乃至図３は、本発明による実施例１の光データ伝送ネットワークの概略構成を示す模式図であり、図１はネットワーク全体の構成例を示すブロック図、図２は図１の送信処理手段及びＥ／Ｏ変換手段の構成を示すブロック図、図３は図１の受信処理手段及びＯ／Ｅ変換手段の構成を示すブロック図である。
【００３４】
図１において、１Ａ，１Ｂは端末、２は送信処理手段、３はＥ／Ｏ変換手段、４は光パス、４０１は光ファイバー、４０２は光増幅器、４０３は光スイッチ、５はＯ／Ｅ変換手段、６は受信処理手段、７は制御信号通信手段、Ｚ１は第１の対地、Ｚ２は第２の対地である。また、図２において、２０１はデータ変換手段、２０２は通信データ転送手段、２０３は送信速度制御手段、３０１は通信データ蓄積手段、３０２はＬＤ（レーザーダイオード）、３０３はＣＬＫ（クロックパルス発生手段）である。また、図３において、５０１はＰＤ（フォトダイオード）、５０２はビット同期回路、５０３は再生通信データチェック手段、５０４はＣＬＫ、６０１は通信データ受信手段、６０２はデータ変換手段、６０３は受信速度制御手段である。
【００３５】
本実施例１の光データ伝送ネットワークは、例えば、図１に示すように、端末１Ａのデータをネットワーク伝送用の通信データに変換する送信処理手段２と、前記送信処理手段２で変換した通信データを電気信号から光信号に変換するＥ／Ｏ変換手段３と、前記Ｅ／Ｏ変換手段３で光信号に変換した通信データを伝送する光パス４と、前記光パス４を伝送した通信データを光信号から電気信号に変換するＯ／Ｅ変換手段５と、前記Ｏ／Ｅ変換手段５で電気信号に変換された通信データを元のデータに復元して端末１Ｂに転送する受信処理手段６と、前記送信処理手段２と前記受信処理手段６の間で伝送速度の制御信号の通信をするための制御信号通信手段７とにより構成されている。
【００３６】
このとき、前記光パス４は、例えば、図１に示したように、前記光信号（通信データ）を伝送する光ファイバー４０１、伝送過程により減衰する光信号を光学的に増幅する光増幅器４０２、前記光信号を目的の端末１Ｂが利用（接続）している受信処理手段６に伝送するための光スイッチ４０３等により構成されている。
【００３７】
また、本実施例１の光データ伝送ネットワークでは、例えば、前記受信処理手段６に接続する端末１Ｂは、移動させることが可能であり、図１に示したように、第１の対地Ｚ１の受信処理手段６を利用して前記送信処理手段２から送信されたデータを受信することもできるし、前記第１の対地Ｚ１とは地理的に隔たりのある第２の対地Ｚ２の受信処理手段６を利用して前記送信処理手段２から送信されたデータを受信することもできるとする。
【００３８】
また、本実施例１の光データ伝送ネットワークでは、前記送信処理手段２は、図２に示すように、前記端末１Ａのデータを前記通信データに変換するデータ変換手段２０１と、前記データ変換手段２０１で変換した通信データをＥ／Ｏ変換手段３に転送する通信データ転送手段２０２と、前記通信データ転送手段２０２から転送する通信データの転送速度を制御する転送速度制御手段２０３とにより構成されている。また、前記Ｅ／Ｏ変換手段３は、図２に示すように、前記送信処理手段２の通信データ転送手段２０２から転送された通信データ（電気信号）を蓄積する通信データ蓄積手段３０１と、前記通信データ蓄積手段３０１に蓄積された通信データ（電気信号）を光信号に変換するＬＤ（レーザーダイオード）３０２と、前記ＬＤ３０２で光信号に変換する周期を与えるＣＬＫ３０３とにより構成されている。
【００３９】
前記送信処理手段２及び前記Ｅ／Ｏ変換手段３を用いて、前記通信データを送信するときには、まず、前記端末１Ａから転送されたデータを前記データ変換手段２０１で通信データに変換し、前記通信データ転送手段２０２により前記Ｅ／Ｏ変換手段３に転送する。前記Ｅ／Ｏ変換手段３では、転送された通信データ（電気信号）を前記通信データ蓄積手段３０１に蓄積する。前記通信データ蓄積手段３０１に蓄積された通信データは、前記ＣＬＫ３０３から与えられる周期と同期して、１ビットずつ順次読み出し、前記ＬＤ３０２で電気信号から光信号に変換する。前記ＬＤ３０２で光信号に変換された通信データは、光ファイバー４０１に入力され、前記光パス４を経由して、目的の端末１Ｂの直近に設けられたＯ／Ｅ変換手段５に伝送される。
【００４０】
またこのとき、前記通信データ転送手段２０２による転送速度、前記ＣＬＫ２０３が与える周期は、前記送信処理手段２に設けられた前記送信速度制御手段２０３により制御される。また、前記送信速度制御手段２０３は、前記制御信号通信手段７と接続されており、前記制御信号通信手段７を利用して、前記通信データの伝送先の受信処理手段６との間で、前記転送速度や前記ＣＬＫ３０３が与える周期を制御するためのデータを送受信する。
【００４１】
また、本実施例１の光データ伝送ネットワークでは、前記Ｏ／Ｅ変換手段５は、図３に示すように、前記光パス４を経由して伝送された通信データ（光信号）を受信（受光）して電気信号に変換するＰＤ（フォトダイオード）５０１と、前記ＰＤ５０１で変換した電気信号を通信データとして再生するビット同期回路５０２と、前記ビット同期回路で再生した通信データの正常性をチェックする再生通信データチェック手段５０３と、前記ビット同期回路５０２でデータを再生するときの周期を与えるＣＬＫ５０４とにより構成されている。また、前記受信処理手段６は、図３に示すように、前記再生通信データチェック手段５０３からの通信データを受信する通信データ受信手段６０１と、前記通信データ受信手段６０１で受信した通信データを前記端末１Ｂで扱えるデータに復元するデータ変換手段６０２と、前記Ｏ／Ｅ変換手段５のＣＬＫ５０４が与える周期や前記通信データ受信手段６０１の受信速度等を制御する受信速度制御手段６０３とにより構成されている。
【００４２】
前記Ｏ／Ｅ変換手段５及び前記受信処理手段６を用いて、前記送信処理手段２から送信された通信データを受信するときには、まず、前記光パス４を伝送した通信データ（光信号）を前記Ｏ／Ｅ変換手段５のＰＤ５０１で受光し、電気信号に変換する。前記ＰＤ５０１で電気信号に変換した通信データは、前記ビット同期回路５０２において、前記ＣＬＫ５０４から与えられる周期と同期した通信データとして再生される。前記ビット同期回路５０２において再生された通信データは、前記再生通信データチェック手段５０３により、データの正常性のチェックを行う。前記再生通信データチェック手段５０３は、チェック対象の通信データが正常なデータである場合、前記通信データを前記受信処理手段６に転送する。前記受信処理手段６では、転送された通信データを前記通信データ受信手段６０１で受信し、前記データ変換手段６０２で前記通信データの受信先の端末で扱えるデータに復元する。前記データ変換手段６０２で復元したデータは、前記受信先の端末１Ｂに転送される。
【００４３】
またこのとき、前記ＣＬＫ５０４が与える周期や、前記通信データ受信手段６０１による受信速度は、前記受信処理手段６に設けられた前記受信速度制御手段６０３により制御される。また、前記受信速度制御手段６０３は、前記制御信号通信手段７と接続されており、前記制御信号通信手段７を利用して、前記通信データの送信元の送信処理手段２との間で、前記ＣＬＫ５０４が与える周期や前記受信速度を制御するためのデータを送受信する。
【００４４】
なお、本実施例１の光データ伝送ネットワークでは通常、前記送信処理手段２及び前記受信処理手段６が複数個設けられている。このとき、前記送信処理手段２と前記受信処理手段６の組み合わせにより、前記光パス４の伝送経路、すなわち前記通信データが通る前記光ファイバー４０１の長さや前記光増幅器４０２及び光スイッチ４０３の数が異なり、最適な伝送速度も異なる。そのため、例えば、図１に示したように、前記送信処理手段２から第１の対地Ｚ１の受信処理手段６に通信データと伝送する場合と、前記送信処理手段２から前記第２の対地Ｚ２の受信処理手段６に通信データを伝送する場合では、適切な伝送速度が異なる。
【００４５】
以下、本実施例１の光データ伝送ネットワークにおける、通信データの伝送速度の制御方法について説明する。
【００４６】
図４は、本実施例１の光データ伝送ネットワークの通信データの伝送速度の制御方法を説明するためのシーケンス図である。
【００４７】
前記通信データの伝送速度を制御するときには、まず、図４に示すように、前記送信処理手段２の送信速度制御手段２０３から、前記制御信号通信手段７を介して、受信処理手段６の受信速度制御手段６０３に対して、伝送速度の初期値Ｒ１を設定する。このとき、前記伝送速度の初期値Ｒ１は、例えば、一般的な伝送速度よりも低い値に設定しておく。またこのとき、前記受信処理手段６は、前記第１の対地Ｚ１にあるとする。
【００４８】
また、前記送信速度制御手段２０３は、前記Ｅ／Ｏ変換手段３のＣＬＫ３０３が与える周期や前記通信データ転送手段２０２の転送速度の設定を、前記伝送速度の初期値Ｒ１と一致させる。また、同様に、前記送信速度制御手段２０３から送信された伝送速度を初期値Ｒ１にするというデータを受信した前記受信速度制御手段６０３は、前記Ｏ／Ｅ変換手段５のＣＬＫ５０４の周期や前記通信データ受信手段６０１の受信速度の設定を、前記伝送速度の初期値Ｒ１と一致させる。
【００４９】
前記各手段の設定が済んだら、前記送信処理手段２から、確認用の通信データ（確認用データ）を送信する。前記確認用データは、前記Ｅ／Ｏ変換手段３（ＬＤ３０２）で光信号に変換して送信され、前記光パス４を伝送する。前記光パス４を伝送した確認用データは、前記第１の対地Ｚ１のＯ／Ｅ変換手段５（ＰＤ５０１）で電気信号に変換された後、前記受信処理手段６で受信される。前記送信処理手段２から前記確認用データを送信する手順、及び前記受信処理手段６で前記確認用データを受信する手順については、前記通信データと同じようにすればよいので、詳細な説明を省略する。
【００５０】
前記受信処理手段６の通信データ受信手段６０１で、前記確認用データの受信に成功した場合、図４に示したように、前記受信速度制御手段６０３から、前記制御信号通信手段７を介して、前記送信処理手段２の送信速度制御手段２０３に受信成功というデータを送信する。
【００５１】
前記送信速度制御手段２０３は、前記受信成功というデータを受信したら、前記伝送速度を初期値Ｒ１から速度Ｒ２に増加するというデータを、前記制御信号通信手段７を介して、前記受信速度制御手段６０３に送信する。
【００５２】
その後、前記伝送速度が初期値Ｒ１のときと同様の手順で、前記Ｅ／Ｏ変換手段３のＣＬＫ３０３が与える周期，前記通信データ転送手段２０２の転送速度，前記Ｏ／Ｅ変換手段５のＣＬＫ５０４が与える周期，前記通信データ受信手段６０１の受信速度の設定を前記伝送速度Ｒ２と一致させ、前記送信処理手段２から確認用データを送信する。このとき、前記伝送速度Ｒ２でも前記確認用データを受信できたとすれば、前記受信速度制御手段６０３から前記送信速度制御手段２０３に受信成功というデータを送信する。
【００５３】
その後さらに、前記伝送速度を速度Ｒ２から速度Ｒ３に増加し、同様の手順を繰り返したところ、例えば、図４に示したように、前記速度Ｒ３では、事前に決めたタイムアウト値の時間内に前記確認用データを受信できなかったとする。この場合、図４に示したように、前記受信速度制御手段６０３から前記送信速度制御手段２０３に対して、受信に失敗したというデータを送信する。
【００５４】
前記受信に失敗したというデータを受け取った前記送信速度制御手段２０３は、受信に失敗した速度Ｒ３より低く、かつ、受信に成功した速度の中でもっとも高速度である速度を、前記送信処理手段２から前記受信処理手段６に通信データを伝送するときの最適な伝送速度として採用する。今の場合、受信に失敗した速度Ｒ３の一つ前の速度Ｒ２を、前記送信処理手段２から前記第１の対地Ｚ１の受信処理手段６に通信データを伝送するときの伝送速度として採用し、前記受信速度制御手段６０３に送信する。この後、前記Ｅ／Ｏ変換手段３のＣＬＫ３０３が与える周期，前記通信データ転送手段２０２の転送速度，前記Ｏ／Ｅ変換手段５のＣＬＫ５０４が与える周期，前記通信データ受信手段６０１の受信速度の設定を前記伝送速度Ｒ２と一致させれば、前記送信処理手段２から前記受信処理手段６に通信データを伝送するときの伝送速度を最適化することができる。そのため、前記端末１Ｂを前記第１の対地Ｚ１の受信処理手段６に接続して、前記送信処理手段２から送信された通信データを受信するときには、最適な伝送速度で受信することができ、データ伝送の安定性（正確性）が向上する。
【００５５】
その後、例えば、前記端末１Ｂ（ユーザー）が移動して、前記第２の対地Ｚ２の受信処理手段６を利用して、前記送信処理手段２から送信された通信データを受信するような場合は、図４に示した手順と同様の手順で、前記送信処理手段２から前記第２の対地Ｚ２の受信処理手段６に通信データを伝送するときに最適な伝送速度を求め、設定を変更すればよい。
【００５６】
また、例えば、図４に示した手順を、定期的に行うことで、前記端末１Ｂが利用（接続）する受信処理手段６が動的に変更され、かつ、変更後に光パス４の経路が大きく変わる場合でも、前記通信データ（光信号）の伝送速度を容易に最適化でき、データ伝送の安定性（正確性）を向上させることができる。
【００５７】
以上説明したように、本実施例１の光データ伝送ネットワーク及び伝送速度の設定方法によれば、図４に示したような手順により、前記端末１Ｂが利用（接続）する受信処理手段６や、前記送信処理手段２から前記受信処理手段６までの光パス４の伝送経路に応じて、伝送速度を容易に最適化することができる。そのため、例えば、図１に示したように、前記端末１Ｂが利用する受信処理手段６が動的に変更され、かつ、変更に伴い伝送経路の構成が大きく変化する場合でも、伝送速度の再設定を容易にでき、正確なデータ転送を行うことができる。
【００５８】
（実施例２）
図５及び図６は、本発明による実施例２の光データ伝送ネットワークの概略構成を示す模式図であり、図５はネットワーク全体の構成を示すブロック図、図６は送受信処理手段及びＥ／Ｏ−Ｏ／Ｅ変換手段の構成を示すブロック図である。
【００５９】
図５において、１Ａ，１Ｂは端末、４は光パス、７は制御信号通信手段、８Ａ，８Ｂは送受信処理手段、９Ａ，９ＢはＥ／Ｏ−Ｏ／Ｅ変換手段、Ｚ１は第１の対地、Ｚ２は第２の対地である。また、図６において、８０１は送受信速度制御手段、９０１はＣＬＫ（クロックパルス発生手段）である。
【００６０】
本実施例２の光データ伝送ネットワークは、前記実施例１で説明した伝送ネットワークと同様に、ネットワーク上の端末が電気的あるいは磁気的に保持しているデータを、光信号に変換して伝送するネットワークである。しかしながら、前記実施例２の伝送ネットワークは、端末間で、双方向にデータの伝送を行える点が、前記実施例１の伝送ネットワークと異なる。
【００６１】
本実施例２の伝送ネットワークは、図５に示すように、端末１Ａ，１Ｂのデータをネットワーク伝送用の通信データに変換するとともに、前記通信データを受信する送受信処理手段８Ａ，８Ｂと、前記送受信処理手段８Ａ，８Ｂで変換された通信データを電気信号から光信号に変換するとともに、前記送受信処理手段で受信する前記通信データを光信号から電気信号に変換するＥ／Ｏ−Ｏ／Ｅ変換手段９Ａ，９Ｂと、前記光信号に変換された通信データを伝送する光パスと４により構成されている。
【００６２】
また、本実施例２では、図５に示すように、第１端末１Ａがデータの送受信に利用する送受信処理手段及びＥ／Ｏ−Ｏ／Ｅ変換手段と、第２端末１Ｂがデータを送信に利用する送受信処理手段及びＥ／Ｏ−Ｏ／Ｅ変換手段とを区別するために、前記第１端末１Ａが利用（接続）するほうを第１送受信処理手段８Ａ及び第１Ｅ／Ｏ−Ｏ／Ｅ変換手段９Ａと称し、第２端末１Ｂが利用（接続）するほうを第２送受信処理手段８Ｂ及び第２Ｅ／Ｏ−Ｏ／Ｅ変換手段９Ｂと称する。
【００６３】
また、前記光パス４は、例えば、図５に示したように、前記光信号（通信データ）を伝送する光ファイバー４０１、伝送過程により減衰する光信号を光学的に増幅する光増幅器４０２、前記光信号を目的の端末に転送するための光スイッチ４０３等により構成されている。
【００６４】
また、本実施例２の光データ伝送ネットワークでも、例えば、前記第２端末１Ｂが利用する前記第２送受信処理手段９Ｂは動的に変更されることがあるとする。またこのとき、図５に示したように、例えば、前記第２端末１Ｂが利用する第２送受信処理手段９Ｂが、第１の対地Ｚ１の送受信処理手段から第２の対地Ｚ２の送受信処理手段に変更された場合、前記第１送受信処理手段９Ａと前記第２送受信処理手段９Ｂの間の光パス４の伝送経路、すなわち光ファイバー４０１の長さや、光増幅器４０２及び光スイッチ４０３の数が大きく変化することがあるとする。
【００６５】
また、前記送受信処理手段８Ａ，８Ｂは、前記実施例１で説明した前記送信処理手段２と前記受信処理手段６を組み合わせた構成であり、図６に示すように、端末１Ａ，１Ｂのデータを通信データに変換するデータ変換手段２０１と、前記通信データをＥ／Ｏ−Ｏ／Ｅ変換手段９Ａ，９Ｂに転送する通信データ転送手段２０２と、前記Ｅ／Ｏ−Ｏ／Ｅ変換手段９Ａ，９Ｂで受信して電気信号に変換された通信データを受信する通信データ受信手段６０１と、前記通信データ受信手段６０１で受信した通信データを端末１Ａ，１Ｂで扱える元のデータに変換するデータ変換手段６０２と、前記通信データ転送手段２０２で転送する通信データの転送速度及び前記通信データ受信手段６０１で受信する通信データの受信速度を制御する送受信速度制御手段８０１とにより構成されている。
【００６６】
また、前記Ｅ／Ｏ−Ｏ／Ｅ変換手段９Ａ，９Ｂも、前記実施例１で説明したＥ／Ｏ変換手段３とＯ／Ｅ変換手段５を組み合わせた構成であり、図６に示すように、前記通信データ転送手段２０２から転送された通信データを蓄積する通信データ蓄積手段３０１と、前記通信データ蓄積手段３０１に蓄積された通信データを定められた周期の光信号に変換して光パス４に入力（送信）するＬＤ３０２と、前記光パス４を伝送された通信データ（光信号）を受信（受光）して電気信号に変換するＰＤ５０１と、前記ＰＤ５０１で変換された電気信号を定められた周期で再生するビット同期回路５０２と、前記ビット同期回路５０２で再生した通信データの正常性をチェックする再生通信データチェック手段５０３と、電気信号を光信号に変換する周期及び電気信号を再生する周期を与えるＣＬＫ９０１とにより構成される。また、前記ＣＬＫ９０１は前記送受信速度制御手段８０１と接続されており、前記ＣＬＫ９０１が与える周期は送受信速度制御手段８０１により制御される。
【００６７】
本実施例２の光データ伝送ネットワークを利用して、例えば、前記第１端末１Ａから前記第２端末１Ｂに通信データを送信（伝送）する場合、前記第１送受信処理手段８Ａ及び前記第１Ｅ／Ｏ−Ｏ／Ｅ変換手段９Ａを用いて、前記第１端末１Ａのデータを通信データに変換した後、前記電気信号を光信号に変換して、前記光パス４に入力する。前記光パス４を伝送した通信データ（光信号）は、前記第２Ｅ／Ｏ−Ｏ／Ｅ変換手段９Ｂ及び前記第２送受信処理手段８Ｂを用いて、前記通信データを光信号から電気信号に変換した後、前記通信データをもとのデータに復元して前記第２端末１Ｂに転送する。
【００６８】
また逆に、前記第２端末１Ｂから前記第１端末１Ａに通信データを送信（伝送）する場合、前記第２送受信処理手段８Ｂ及び前記第２Ｅ／Ｏ−Ｏ／Ｅ変換手段９Ｂを用いて、前記第２端末１Ｂのデータを通信データに変換した後、前記電気信号を光信号に変換して、前記光パス４に入力する。前記光パス４を伝送した通信データ（光信号）は、前記第１Ｅ／Ｏ−Ｏ／Ｅ変換手段９Ａ及び前記第１送受信処理手段８Ａを用いて、前記通信データを光信号から電気信号に変換した後、前記通信データをもとのデータに復元して前記第１端末１Ａに転送する。
【００６９】
なお、本実施例２の光データ伝送ネットワークでも通常、前記送受信処理手段８Ａ，８Ｂは複数個設けられている。このとき、前記送受信処理手段８Ａ，８Ｂの組み合わせにより、前記光パス４の伝送経路、すなわち前記通信データが通る前記光ファイバー４０１の長さや前記光増幅器４０２及び光スイッチ４０３の数が異なり、最適な伝送速度も異なる。そのため、例えば、図５に示したように、前記第１送受信処理手段８Ａから第１の対地Ｚ１の第２送受信処理手段８Ｂに通信データと伝送する場合と、前記第１送信処理手段８Ａから前記第２の対地Ｚ２第２送受信処理手段８Ｂに通信データを伝送する場合では、適切な伝送速度が異なるとする。
【００７０】
以下、本実施例２の光データ伝送ネットワークにおける、通信データの伝送速度の制御方法について説明する。
【００７１】
図７は、本実施例２の光データ伝送ネットワークの通信データの転送速度の制御方法を説明するためのシーケンス図である。
【００７２】
前記通信データの伝送速度を制御するときには、まず、例えば、図７に示すように、第１送受信処理手段８Ａの送受信速度制御手段８０１から、前記制御信号通信手段７を介して、前記第２送受信処理手段８Ｂの送受信速度制御手段８０１に対して、伝送速度の初期値Ｒ１を設定する。このとき、前記伝送速度の初期値Ｒ１は、例えば、一般的な伝送速度よりも低い値に設定しておく。またこのとき、前記第２送受信処理手段８Ｂは、前記第１の対地Ｚ１にあるとする。
【００７３】
また、前記各送受信速度制御手段８０１は、前記Ｅ／Ｏ−Ｏ／Ｅ変換手段９Ａ，９ＢのＣＬＫ９０１が与える周期，前記通信データ転送手段２０２の転送速度，前記データ受信手段６０１の受信速度等の設定が、前記伝送速度の初期値Ｒ１と一致するように制御する。
【００７４】
前記各手段の速度Ｒ１の設定が済んだら、前記第１送受信処理手段８Ａから、確認用データを送信する。前記確認用データは、前記第１Ｅ／Ｏ−Ｏ／Ｅ変換手段９ＡのＬＤ３０２で光信号に変換して送信され、前記光パス４を伝送する。前記光パス４を伝送した確認用データは、前記第１の対地Ｚ１の第２Ｅ／Ｏ−Ｏ／Ｅ変換手段９ＢのＰＤ５０１で電気信号に変換された後、前記第２送受信処理手段８Ｂで受信される。前記第１送受信処理手段８Ａから前記確認用データを送信する手順、及び前記第２送受信処理手段８Ｂで前記確認用データを受信する手順については、前記通信データと同じようにすればよいので、詳細な説明は省略する。
【００７５】
前記第２送受信処理手段８Ｂの通信データ受信手段６０１で、前記確認用データの受信に成功した場合、図７に示したように、今度は、前記第２送受信処理手段８Ｂから前記第１送受信処理手段８Ａに対して、前記速度Ｒ１で確認用データを送信する。このときの手順は前記第１送受信処理手段８Ａから確認用データを送信するときと同じである。
【００７６】
前記第１送受信処理手段８Ａは、前記第２送受信処理手段８Ｂから送信された確認用データの受信に成功したら、前記伝送速度を初期値Ｒ１から速度Ｒ２に増加するというデータを、前記制御信号通信手段７を介して、前記第２送受信処理手段８Ｂの送受信速度制御手段８０１に送信する。
【００７７】
その後、前記伝送速度が初期値Ｒ１のときと同様の手順で、前記Ｅ／Ｏ−Ｏ／Ｅ変換手段９Ａ，９ＢのＣＬＫ９０１が与える周期，前記通信データ転送手段２０２の転送速度，前記通信データ受信手段６０１の受信速度等の設定を前記伝送速度Ｒ２と一致させ、前記第１送受信処理手段８Ａから確認用データを送信する。このとき、前記第２送受信処理手段８Ｂは、例えば、図７に示したように、前記速度Ｒ２では、事前に決めたタイムアウト値の時間内に前記確認用データを受信できなかったとする。この場合、図７に示したように、前記第２送受信処理手段８Ｂの送受信速度制御手段８０１から前記第１送受信処理手段８Ａに対して、受信に失敗したというデータを送信する。
【００７８】
前記受信に失敗したというデータを受け取った前記第１送受信処理手段８Ａの送受信速度制御手段８０１は、受信に失敗した速度Ｒ２より低く、かつ、受信に成功した速度の中でもっとも高速度である速度を、前記第１送受信処理手段８Ａと前記第２送受信処理手段８Ｂの間で前記通信データを伝送するときの最適な伝送速度として採用する。今の場合、受信に失敗した速度Ｒ２の一つ前の速度Ｒ１を、前記第１送受信処理手段８Ａと前記第１の対地Ｚ１の第２送受信処理手段８Ｂの間で通信データを伝送するときの伝送速度として採用し、前記第２送受信処理手段８Ｂの送受信速度制御手段８０１に送信する。この後、前記Ｅ／Ｏ−Ｏ／Ｅ変換手段９Ａ，９ＢのＣＬＫ９０１が与える周期，前記通信データ転送手段２０２の転送速度，前記通信データ受信手段６０１の受信速度等の設定を前記伝送速度Ｒ１と一致させれば、前記第１送受信処理手段８Ａと前記第２送受信処理手段８Ｂの間で通信データを伝送するときの伝送速度を最適化することができる。
【００７９】
その後、前記第２送受信処理手段が、例えば、前記第２端末１Ｂが利用（接続）する第２送受信処理手段８Ｂが、第１の対地Ｚ１の送受信処理手段から前記第２の対地Ｚ２の送受信処理手段に動的に変更された場合は、図７に示した手順と同様の手順で、前記第１送受信処理手段８Ａと前記第２の対地Ｚ２の第２送受信処理手段８Ｂの間で通信データを伝送するときの最適な伝送速度を求め、設定を変更すればよい。
【００８０】
また、例えば、図７に示した手順を、定期的に行うことで、前記第２端末１Ｂが利用（接続）する第２送受信処理手段８Ｂが動的に変更され、かつ、変更後に光パス４の経路が大きく変わる場合でも、前記通信データ（光信号）の伝送速度を容易に最適化でき、データ伝送の安定性（正確性）を向上させることができる。
【００８１】
以上説明したように、本実施例２の光データ伝送ネットワーク及び伝送速度の設定方法によれば、図７に示したような手順により、前記第２端末１Ｂが利用（接続）する第２送受信処理手段８Ｂや、前記第１送受信処理手段８Ａと前記第２送受信処理手段８Ｂの間の光パスの伝送経路に応じて、伝送速度を容易に最適化することができる。そのため、例えば、前記端末１Ａ，１Ｂが利用する送受信処理手段８Ａ，８Ｂが動的に変更され、かつ、対地の変更に伴い伝送経路の構成が大きく変化する場合でも、伝送速度の再設定を容易にでき、正確なデータ転送を行うことができる。
【００８２】
また、本実施例２では、前記設定する伝送速度、及び前記確認用データの受信成功あるいは失敗等のデータを、前記制御信号通信手段７を介して送受信する場合について説明したが、これに限らず、他の方法で送受信してもよい。
【００８３】
（実施例３）
図８乃至図１０は、本発明による実施例３の光データ伝送ネットワークの概略構成を示す模式図であり、図８はネットワーク全体の構成を示すブロック図、図９は送信処理手段及びＥ／Ｏ変換手段の構成を示すブロック図、図１０は受信処理手段及びＯ／Ｅ変換手段の構成を示すブロック図である。
【００８４】
図８において、１０は光パス管理手段である。また、図９及び図１０において、２０４及び６０４はそれぞれ速度推定用テーブルである。
【００８５】
本実施例３の光データ伝送ネットワークは、図８に示すように、端末１Ａのデータをネットワーク伝送用の通信データに変換する送信処理手段２と、前記送信処理手段２で変換した通信データを電気信号から光信号に変換するＥ／Ｏ変換手段３と、前記Ｅ／Ｏ変換手段３で光信号に変換した通信データを伝送する光パス４と、前記光パス４を伝送した通信データを光信号から電気信号に変換するＯ／Ｅ変換手段５と、前記Ｏ／Ｅ変換手段５で電気信号に変換された通信データを元のデータに復元して端末１Ｂに転送する受信処理手段６と、前記送信処理手段２と前記受信処理手段６の間で制御信号の通信をするための制御信号通信手段７とにより構成されている。
【００８６】
このとき、前記光パス４は、例えば、図８に示したように、前記光信号（通信データ）を伝送する光ファイバー４０１、伝送過程により減衰する光信号を光学的に増幅する光増幅器４０２、前記光信号を目的の端末に転送するための光スイッチ４０３等により構成されている。
【００８７】
また、本実施例３の光データ伝送ネットワークでは、前記端末１Ｂが利用（接続）する前記受信処理手段６が動的に変更されるとする。またこのとき、前記端末１Ｂが利用する前記受信処理手段６が、第１の対地Ｚ１の受信処理手段から第２の対地Ｚ２の受信処理手段に変更されたときに、前記送信処理手段２と前記受信処理手段６の間の光パス４の伝送経路、すなわち光ファイバー４０１の長さや、光増幅器４０２及び光スイッチ４０３の数が大きく変化することがあるとする。
【００８８】
また、本実施例３の光データ伝送ネットワークでは、図８に示したように、前記制御信号通信手段７に、光パス管理手段１０が接続されている。前記光パス管理手段１０は、前記ネットワークの光パス４内の光ファイバー４０１の長さ、光増幅器４０２及び光スイッチ４０３の数等の情報を管理する手段である。
【００８９】
また、本実施例３の光データ伝送ネットワークでは、前記送信処理手段２は、図９に示すように、前記端末１Ａのデータを前記通信データに変換するデータ変換手段２０１と、前記データ変換手段２０１で変換した通信データをＥ／Ｏ変換手段３に転送する通信データ転送手段２０２と、前記通信データ転送手段２０２から転送する通信データの転送速度を制御する送信速度制御手段２０３と、前記光パス管理手段１０から光パス４の経路情報を取得して最適な伝送速度（送信速度）を推測するための速度推定用テーブル２０４とにより構成されている。また、前記Ｅ／Ｏ変換手段３は、図９に示すように、前記送信処理手段２の通信データ転送手段２０２から転送された通信データ（電気信号）を蓄積する通信データ蓄積手段３０１と、前記通信データ蓄積手段３０１に蓄積された通信データ（電気信号）を光信号に変換するＬＤ（レーザーダイオード）３０２と、前記ＬＤ３０２で光信号に変換する周期を与えるＣＬＫ３０３とにより構成されている。
【００９０】
前記送信処理手段２及び前記Ｅ／Ｏ変換手段３を用いて、前記通信データを送信するときには、前記実施例１で説明した手順と同様の手順で行えばよいので、詳細な説明は省略する。
【００９１】
また、本実施例３の光データ伝送ネットワークでは、前記Ｏ／Ｅ変換手段５は、図１０に示すように、前記光パス４を経由して伝送された通信データ（光信号）を受信（受光）して電気信号に変換するＰＤ（フォトダイオード）５０１と、前記ＰＤ５０１で変換した電気信号を通信データとして再生するビット同期回路５０２と、前記ビット同期回路５０２で再生した通信データの正常性をチェックする再生通信データチェック手段５０３と、前記ビット同期回路５０２でデータを再生するときの周期を与えるＣＬＫ５０４とにより構成されている。また、前記受信処理手段６は、図１０に示すように、前記再生通信データチェック手段５０３からの通信データを受信する通信データ受信手段６０１と、前記通信データ受信手段６０１で受信した通信データを前記端末１Ｂで扱えるデータに復元するデータ変換手段６０２と、前記Ｏ／Ｅ変換手段５のＣＬＫ５０４が与える周期や前記通信データ受信手段６０１の受信速度等を制御する受信速度制御手段６０３と、前記光パス管理手段１０から光パスの経路情報を取得して最適な伝送速度（受信速度）を推測するための速度推定用テーブル６０４とにより構成されている。
【００９２】
前記Ｏ／Ｅ変換手段５及び前記受信処理手段６を用いて、前記送信処理手段２から送信された通信データを受信するときも、前記実施例１で説明した手順と同じ手順で行えばよいので、詳細な説明は省略する。
【００９３】
また、本実施例３の光データ伝送ネットワークでも通常、前記送信処理手段２及び前記受信処理手段６が複数個設けられている。このとき、前記送信処理手段２と前記受信処理手段６の組み合わせにより、前記光パスの伝送経路、すなわち前記通信データが通る前記光ファイバー４０１の長さや前記光増幅器４０２及び光スイッチ４０３の数が異なり、最適な伝送速度も異なる。そのため、例えば、図８に示したように、前記送信処理手段２から第１の対地Ｚ１の受信処理手段６に通信データと伝送する場合と、前記送信処理手段２から前記第２の対地Ｚ２の受信処理手段６に通信データを伝送する場合では、適切な伝送速度が異なる。
【００９４】
以下、本実施例３の光データ伝送ネットワークにおける、通信データの伝送速度の制御方法について説明する。
【００９５】
図１１は、本実施例３の光データ伝送ネットワークの通信データの伝送速度の制御方法を説明するためのシーケンス図である。
【００９６】
前記通信データの伝送速度を制御するときには、まず、図１１に示すように、前記光パス管理手段１０から、前記送信処理手段２から前記受信処理手段６までの光パス４の光ファイバー４０１の長さや、光増幅器４０２及び光スイッチ４０３の数等の情報を取得する。そして、前記送信処理手段２は、前記送信速度制御手段２０３において、前記光パス管理手段１０から取得した経路情報と前記速度推定用テーブル２０４の値を比較し、前記送信処理手段２から前記受信処理手段６に通信データを送信したときに、前記受信処理手段６が正常に受信することが可能な送信速度を推測する。同様に、前記受信処理手段６は、前記受信速度制御手段６０３において、前記光パス管理手段１０から取得した経路情報と前記速度推定用テーブル６０４の値を比較し、前記送信処理手段２から送信された通信データを受信するときに、正常に受信することが可能な速度を推測する。
【００９７】
前記推測した送信速度が、例えば、速度Ｒ１であった場合、前記送信処理手段２の送信速度制御手段２０３から、前記制御信号通信手段７を介して、前記受信処理手段６の受信速度制御手段６０３に、伝送速度の初期値をＲ１にするという制御データを送信する。また、前記送信速度制御手段２０３は、前記Ｅ／Ｏ変換手段３のＣＬＫが与える周期や前記通信データ転送手段２０３の転送速度の設定を前記伝送速度の初期値Ｒ１と一致させる。また、同様に、前記送信速度制御手段２０３から送信された伝送速度を初期値Ｒ１にするというデータを受信した前記受信速度制御手段６０３は、前記Ｏ／Ｅ変換手段５のＣＬＫ５０４が与える周期や前記通信データ受信手段６０１の設定を、前記伝送速度の初期値Ｒ１と一致させる。
【００９８】
前記各手段の速度の設定が済んだら、前記送信処理手段２から、確認用の通信データ（確認用データ）を送信する。前記確認用データは、前記Ｅ／Ｏ変換手段３のＬＤ３０２で光信号に変換して送信され、前記光パス４を伝送する。前記光パス４を伝送した確認用データは、前記第１の対地Ｚ１のＯ／Ｅ変換手段５のＰＤ５０１で電気信号に変換された後、前記受信処理手段６で受信される。前記送信処理手段２から前記確認用データを送信する手順、及び前記受信処理手段６で前記確認用データを受信する手順については、前記通信データと同じようにすればよいので、詳細な説明は省略する。
【００９９】
前記受信処理手段６の通信データ受信手段６０１で、前記確認用データの受信に成功した場合、前記受信速度制御手段６０３から、前記制御信号通信手段７を介して、前記送信速度制御手段２０３に受信成功というデータを送信する。
【０１００】
前記送信速度制御手段２０３は、前記受信成功というデータを受信したら、前記伝送速度を初期値Ｒ１から速度Ｒ２に増加するというデータを、前記制御信号通信手段７を介して、前記受信速度制御手段６０３に送信する。
【０１０１】
その後、前記伝送速度が初期値Ｒ１のときと同様の手順で、前記Ｅ／Ｏ変換手段３のＣＬＫ３０３が与える周期，前記通信データ転送手段２０２の転送速度が与える周期の設定を、前記伝送速度Ｒ２と一致させ、前記送信処理手段２から確認用データを送信する。このとき、例えば、図１１に示したように、前記速度Ｒ２では、事前に決めたタイムアウト値の時間内に前記確認用データを受信できなかったとする。この場合、図１１に示したように、前記受信速度制御手段６０３から前記送信速度制御手段２０３に対して、受信に失敗したというデータを送信する。
【０１０２】
前記受信に失敗したというデータを受け取った前記送信速度制御手段２０３は、受信に失敗した速度Ｒ２より低く、かつ、受信に成功した速度の中でもっとも高速度である速度を、前記送信処理手段２から前記受信処理手段６に前記通信データを伝送するときの最適な伝送速度として採用する。今の場合、受信に失敗した速度Ｒ２の一つ前の速度Ｒ１を、前記送信処理手段２から前記第１の対地Ｚ１の受信処理手段６に通信データを伝送するときの伝送速度として採用し、前記受信速度制御手段６０３に送信する。この後、前記Ｅ／Ｏ変換手段３のＣＬＫ３０３が与える周期，前記通信データ転送手段２０２の転送速度，前記Ｏ／Ｅ変換手段５のＣＬＫ５０１，前記通信データ受信手段６０１の設定を前記伝送速度Ｒ１と一致させれば、前記送信処理手段２０１から前記受信処理手段３に通信データを伝送するときの伝送速度を最適化することができる。
【０１０３】
その後、前記端末１Ｂが利用（接続）する前記受信処理手段６が、例えば、前記第１の対地Ｚ１の受信処理手段から前記第２の対地Ｚ２の受信処理手段に変わった場合は、図１１に示した手順と同様の手順で、前記送信処理手段２から前記第２の対地Ｚ２の受信処理手段６に通信データを伝送するときの最適な伝送速度を求め、設定を変更すればよい。
【０１０４】
また、図１１に示した手順を、定期的に行うことで、前記端末（ユーザー）１Ｂが利用する前記受信処理手段６が動的に変更され、かつ、変更後に光パスの経路が大きく変わる場合でも、前記通信データ（光信号）の伝送速度を容易に最適化でき、データ伝送の安定性（正確性）を向上させることができる。
【０１０５】
以上説明したように、本実施例３の光データ伝送ネットワーク及び伝送速度の制御方法によれば、図１１に示したような手順により、前記受信処理手段３の対地や、前記送信処理手段から前記受信処理手段までの光パスの伝送経路に応じて、伝送速度を容易に最適化することができる。そのため、例えば、図８に示したように、前記端末１Ｂが利用する受信処理手段６が動的に変更され、かつ、変更に伴い伝送経路の構成が大きく変化する場合でも、伝送速度の再設定を容易にでき、正確なデータ転送を行うことができる。
【０１０６】
また、本実施例３の伝送速度の制御方法のように、事前に前記光パス管理手段１０から経路情報を取得し、伝送可能な速度を推測することで、前記端末１Ｂが利用する前記受信処理手段６が変更されたときに、伝送速度を変更して最適化するまでに要する時間を短縮することができる。そのため、前記端末１Ｂが利用する前記受信処理手段２が動的に変更される場合でも、データ転送の安定性が低下する期間を短くすることができる。
【０１０７】
また、詳細な説明は省略するが、前記実施例２で説明した光データ伝送ネットワークのように、送受信処理手段８Ａ，８Ｂ及びＥ／Ｏ−Ｏ／Ｅ変換手段９Ａ，９Ｂが設けられた伝送ネットワークでも、本実施例３の伝送速度の制御方法のように、事前に前記光パス管理手段１０から経路情報を取得し、伝送可能な速度を推測することで、前記端末１Ｂが利用する前記受信処理手段６が変更されたときに、伝送速度を変更して最適化するまでに要する時間を短縮することができる。
【０１０８】
以上、本発明を、前記実施例に基づき具体的に説明したが、本発明は、前記実施例に限定されるものではなく、その要旨を逸脱しない範囲において、種々変更可能であることはもちろんである。
【０１０９】
【発明の効果】
本願において開示される発明のうち、代表的なものによって得られる効果を簡単に説明すれば、以下の通りである。
【０１１０】
（１）  光ファイバー，光増幅器，光スイッチ等からなる光パスを介して端末間のデータ伝送を行う光データ伝送ネットワークにおいて、光パスに接続された送信処理手段や受信処理手段等の対地が動的に変更されても正確なデータ伝送をすることができる。
【０１１１】
（２）  光ファイバー，光増幅器，光スイッチ等からなる光パスを介して端末間のデータ伝送を行う光データ伝送ネットワークにおいて、通信データの伝送速度を容易に制御することができる。
【図面の簡単な説明】
【図１】本発明による実施例１の光データ伝送ネットワークの概略構成を示す模式図であり、ネットワーク全体の構成例を示すブロック図である。
【図２】本発明による実施例１の光データ伝送ネットワークの概略構成を示す模式図であり、図１の送信処理手段及びＥ／Ｏ変換手段の構成を示すブロック図である。
【図３】本発明による実施例１の光データ伝送ネットワークの概略構成を示す模式図であり、図１の受信処理手段及びＯ／Ｅ変換手段の構成を示すブロック図である。
【図４】本実施例１の光データ伝送ネットワークの通信データの伝送速度の制御方法を説明するためのシーケンス図である。
【図５】本発明による実施例２の光データ伝送ネットワークの概略構成を示す模式図であり、ネットワーク全体の構成例を示すブロック図である。
【図６】本発明による実施例２の光データ伝送ネットワークの概略構成を示す模式図であり、送受信処理手段及びＥ／Ｏ−Ｏ／Ｅ変換手段の構成を示すブロック図である。
【図７】本実施例２の光データ伝送ネットワークの通信データの伝送速度の制御方法を説明するためのシーケンス図である。
【図８】本発明による実施例３の光データ伝送ネットワークの概略構成を示す模式図であり、ネットワーク全体の構成例を示すブロック図である。
【図９】本発明による実施例３の光データ伝送ネットワークの概略構成を示す模式図であり、送信処理手段及びＥ／Ｏ変換手段の構成を示すブロック図である。
【図１０】本発明による実施例３の光データ伝送ネットワークの概略構成を示す模式図であり、受信処理手段及びＯ／Ｅ変換手段の構成を示すブロック図である。
【図１１】本実施例３の光データ伝送ネットワークの通信データの伝送速度の制御方法を説明するためのシーケンス図である。
【図１２】従来の光データ伝送ネットワークの概略構成を示す模式図であり、ネットワーク全体の構成例を示すブロック図である。
【図１３】従来の光データ伝送ネットワークの概略構成を示す模式図であり、送信処理手段及びＥ／Ｏ変換手段の構成を示すブロック図である。
【図１４】従来の光データ伝送ネットワークの概略構成を示す模式図であり、受信処理手段及びＯ／Ｅ変換手段の構成を示すブロック図である。
【符号の説明】
１Ａ，１Ｂ…端末、２…送信処理手段、２０１…データ変換手段、２０２…通信データ転送手段、２０３…送信速度制御手段、２０４…速度推定用テーブル（速度推定手段）、２０５…送信速度設定手段、３…Ｅ／Ｏ変換手段、３０１…通信データ蓄積手段、３０２…ＬＤ（レーザーダイオード）、３０３…ＣＬＫ（クロックパルス発生手段）、４…光パス、４０１…光ファイバー、４０２…光増幅器、４０３…光スイッチ、５…Ｏ／Ｅ変換手段、５０１…ＰＤ（フォトダイオード）、５０２…ビット同期回路、５０３…再生通信データチェック手段、５０４…ＣＬＫ、６…受信処理手段、６０１…通信データ受信手段、６０２…データ変換手段、６０３…受信速度制御手段、６０４…速度推定用テーブル（速度推定手段）、７…制御信号通信手段、８Ａ，８Ｂ…送受信処理手段、８０１…送受信速度制御手段、９Ａ，９Ｂ…Ｅ／Ｏ−Ｏ／Ｅ変換手段、９０１…送受信速度制御手段、１０…光パス管理手段。
【図１】
2004349848.tif 000003
【図２】
2004349848.tif 000004
【図３】
2004349848.tif 000005
【図４】
2004349848.tif 000006
【図５】
2004349848.tif 000007
【図６】
2004349848.tif 000008
【図７】
2004349848.tif 000009
【図８】
2004349848.tif 000010
【図９】
2004349848.tif 000011
【図１０】
2004349848.tif 000012
【図１１】
2004349848.tif 000013
【図１２】
2004349848.tif 000014
【図１３】
2004349848.tif 000015
【図１４】
2004349848.tif 000016